(57)【要約】【課題】装着したときに各足指を独立して運動させることができ、しかも使用者の足の形や足指のサイズに確実に適合させることができる足指パッドを提供すること。【解決手段】足指間に挟むパッド本体１ａ〜１ｄに可撓性の紐状体２を貫通させて連結し、パッド本体１ａ〜１ｄを紐状体２に沿って移動可能とした。これを装着した状態で、足指の屈伸運動をしたり室内を歩行したりすると、足指の関節を適度に開いた状態で、各足指を独立して運動させることができる。したがって、足指の効果的な運動が可能となり、脚力の向上及び足の血行促進を図ることができる。【選択図】図２
2008012077.tif 000002
【特許請求の範囲】
【請求項１】
足指間に挟む複数のパッド本体と、各パッド本体を貫通する可撓性の紐状体とを有し、各パッド本体が前記紐状体に沿って移動可能である足指パッド。
【請求項２】
パッド本体が弾性を有する請求項１に記載の足指パッド。
【請求項３】
パッド本体に芳香成分及び／又は薬効成分を含浸させた請求項１又は２に記載の足指パッド。
【発明の詳細な説明】
【技術分野】
【０００１】
本発明は、足指間に挟んで使用する足指パッドに関する。
【背景技術】
【０００２】
生活様式の西洋化が進んだ現代では靴を履いて過ごす時間が長く、その靴や靴下、ストッキング等により足の血液の循環が阻害される。また、とくに踵の高い靴を履くと、足の骨格が圧迫され、その状態で長時間立ったままの姿勢で居たり歩行したりすると、足の骨格のみならず全身の骨格や関節に負担がかかり、全身の骨格に歪みが生じて健康に悪影響を与えることがある。さらに、例えばお洒落のために足のサイズや形を無視した靴を長時間使用すると、足が痺れる、浮腫む、疲れるなどの症状が引き起こされる。また、歩行不足による脚力低下は、歩行中の転倒事故の原因となったり、骨粗鬆症や血管系の病気や生活習慣病の原因となったりするとも言われている。
【０００３】
これらに対して、医師による改善手段の多くは薬や手術によるものであり、また、民間療法や整体・整骨、マッサージにおいても「対症療法」が中心である。これらは、熟練した施術者が必要であり、時間や場所においても制約があり、高額な料金が必要となる場合がある。このことを鑑みると、「対症療法」よりも「予防」に重点を置くべきであり、この観点から、足先と下肢の筋肉及び靱帯などの機能を保持し向上させると共に足先の血行を促進させるための運動を習慣化することが必要である。
【０００４】
このような足先のための有効な運動方法の一つとして、足指を伸ばしたり縮めたりする屈伸運動が挙げられる。この足指の屈伸運動を行うに当たっては、普段は接触している足指どうしを離隔させた状態で足指を屈伸させることが効果的である。具体的には、足指間にパッドを挟んだ状態で足指を屈伸させることが効果的である。
【０００５】
足指間に挟んで使用する足指パッドとしては、特許文献１及び２に開示されているものがある。しかしこれらの特許文献に開示されている足指パッドは、足指の汗を吸い取るためのものであり、足指の運動時に補助具として使用することを意図したものではない。また、各足指間に挟むパッド本体の位置が固定されているため、足指の運動が制限される。さらに、足の大きさや形には個人差があるため、パッド本体の位置が固定されている従来の足指パッドでは使用者の足の形や足指のサイズに適合しないことがあり、その場合、使用感が悪く運動には不向きである。
【特許文献１】特開２００３−２７５２３５号公報
【特許文献２】登録実用新案第３０２１０９６号公報
【発明の開示】
【発明が解決しようとする課題】
【０００６】
本発明が解決しようとする課題は、装着したときに各足指を独立して運動させることができ、しかも使用者の足の形や足指のサイズに確実に適合させることができる足指パッドを提供することにある。
【課題を解決するための手段】
【０００７】
本発明の足指パッドは、足指間に挟む複数のパッド本体と、各パッド本体を貫通する可撓性の紐状体とを有するものであり、各パッド本体を前記紐状体に沿って移動可能としたものである。
【０００８】
このように本発明の足指パッドは、足指間に挟む複数のパッド本体を可撓性の紐状体によって連結したものであり、各パッド本体は自在に運動できるので、装着したときにも各足指を独立して運動させることができる。さらに、各パッド本体は紐状体に沿って移動可能であるので各パッド本体間の間隔を使用者の足の形や足指のサイズに合わせて調整でき、しかも各パッド本体は自在に動かして向きを変えることができるので、足指の角度等の個人差にも対応できる。
【０００９】
本発明においてパッド本体は、弾性（クッション性）を有するものであることが好ましい。これによって、個人差のある使用者の足指に、より確実に適合させることができると共に、使用感も向上する。
【００１０】
さらに、本発明においてパッド本体には、芳香成分及び／又は薬効成分を含浸させることができる。例えば、パッド本体にはハーブの芳香成分と滅菌成分を含むエキスを含浸させることができる。このように、パッド本体に芳香成分や薬効成分を含浸させると、臭覚的なリラックス効果や衛生面での効果が得られる。とくに、パッド本体が弾性を有する材料で形成されている場合には、使用時にパッド本体が圧縮されることにより、含浸させた芳香成分や薬効成分が散出するので、その効果がより顕著に発揮される。
【発明の効果】
【００１１】
本発明の足指パッドによれば、足指の関節を適度に開いた状態で、各足指を独立して運動させることができるので、足指の効果的な運動が可能となり、脚力の向上及び足の血行促進を図ることができる。
【００１２】
また、各足指パッドは自在に動かすことができ、その間隔も自在に調整できるので、使用者の足の形や足指のサイズに確実に適合させることができる。
【発明を実施するための最良の形態】
【００１３】
以下図面に示す実施例に基づき本発明の実施の形態を説明する。
【００１４】
図１は本発明の足指パッドを示す斜視図、図２はその使用状態を示す斜視図である。
【００１５】
図１及び図２に示す足指パッドは、各足指間に挟む４個のパッド本体１ａ〜１ｄと、これらのパッド本体１ａ〜１ｄを貫通する紐状体２とからなる。
【００１６】
パッド本体１ａ〜１ｄは実施例ではポリエチレンの発泡体からなる。その形状は円柱状であり、第１指（親指）と第２指との間に挟むパッド本体１ａのサイズは直径１５ｍｍ×高さ３５ｍｍ、そのほかのパッド本体１ｂ〜１ｄのサイズは直径１５ｍｍ×高さ３５ｍｍである。ここで、パッド本体１ａ〜１ｄの材質については弾性を有するものであれば、とくに限定されない。例えば、実施例で使用したポリエチレンの発泡体のほかに、ポリエステルの発泡体、ウレタン、あるいはゴムや風船体や合成樹脂系の材料によって形成してもよく、また紙や繊維を用いて全体として弾性を有するように形成してもよい。ただし、足指間に確実に適合し、また使用感を向上させる点からは、パッド本体１ａ〜１ｄは使用時にその直径が半分程度になる柔らかさを有し、かつ十分な反発力を有する材料で形成することが好ましい。
【００１７】
パッド本体１ａ〜１ｄを貫通する紐状体２は実施例では長さ約１８０ｍｍの毛糸からなる。この紐状体２を貫通させる位置は、例えば、パッド本体１ａ〜１ｄの上端から３〜５ｍｍの位置とし、パッド本体１ａ〜１ｄの中心を貫通させる。紐状体２の両端にはパッド本体１ａ〜１ｄの抜け止めとして結び目２ａが形成されている。なお、紐状体２の材質については可撓性を有し自在に曲折できるものであれば、とくに限定されない。
【００１８】
以上のように、パッド本体１ａ〜１ｄに可撓性の紐状体２を貫通させて連結することにより、パッド本体１ａ〜１ｄを独立させて自在に動かすことができ、その向きも自在に調整できる。また、パッド本体１ａ〜１ｄを紐状体２に沿って移動させることにより、その間隔を自在に調整することができるので、図２に示すように、使用者の足や足指のサイズ、形状等に確実に適合させることができる。
【００１９】
そして、図２に示すように足指パッドを装着した状態で、足指の屈伸運動をしたり室内を歩行したりすると、足指の関節を適度に開いた状態で、各足指を独立して運動させることができる。したがって、足指の効果的な運動が可能となり、脚力の向上及び足の血行促進を図ることができる。
【００２０】
また、パッド本体１ａ〜１ｄに芳香成分や薬効成分を含浸させておけば、指先の運動時にパッド本体１ａ〜１ｄが圧縮され、それに伴い芳香成分や薬効成分が散出するので、その芳香成分や薬効成分を微量に持続的に散出させることができる。これにより、臭覚的なリラックス効果や衛生面での効果が持続的に得られる。
【００２１】
以上の実施例では、パッド本体１ａ〜１ｄの形状を単純な円柱状としたが、この形状に限定されるものではない。無論、足指間に挟むものであるから円柱もしくは角柱に近い形が基本となるが、その基本形の範囲内で、動物や果物、野菜などを模倣してキャラクター化した形状とすることもできる。このように、パッド本体をキャラクター化した形状とすることで、視覚的に安らぎを与えることができる。また、複数の人が所有し使用する場合であっても、パッド本体の種類（形状）を分けて所有すれば、他人のものと間違えて使用することを防げる。
【産業上の利用可能性】
【００２２】
本発明の足指パッドは、足指の運動補助具として好適に使用することができる。
【図面の簡単な説明】
【００２３】
【図１】本発明の足指パッドを示す斜視図である。
【図２】本発明の足指パッドの使用状態を示す斜視図である。
【符号の説明】
【００２４】
１ａ〜１ｄ  パッド本体
２  紐状体
２ａ  紐状体の結び目
【図１】
2008012077.tif 000003
【図２】
2008012077.tif 000004